【手続補正書】
【提出日】平成23年4月21日(2011.4.21)
【手続補正１】
【補正対象書類名】特許請求の範囲
【補正対象項目名】全文
【補正方法】変更
【補正の内容】
【特許請求の範囲】
【請求項１】
一対の電極間に発光層を含む少なくとも一層の有機層を有する有機電界発光素子であって、前記少なくとも一層の有機層のいずれかに下記一般式（Ｉ）で表される化合物の少なくとも一種を含有することを特徴とする有機電界発光素子。
一般式（Ｉ）
【化１】
2009094486.tif 000001
（一般式（Ｉ）中、Ｒ１〜Ｒ８は各々独立して水素原子、又は、置換基を表し、Ａは他に置換基を有していてもよい芳香環を表す。ｍは２以上の整数を表し、ｎは１以上の整数を表す。）
【請求項２】
上記、一般式（Ｉ）で表される化合物において、Ｒ１〜Ｒ８が各々独立して水素原子、又は、アルキル基、アリール基、ヘテロアリール基、シリル基、若しくはハロゲン原子を表すことを特徴とする請求項１に記載の有機電界発光素子。
【請求項３】
上記、一般式（Ｉ）で表される化合物において、Ａが芳香環を表し、ｍは２〜５の整数を表し、ｎは１〜４の整数を表し、Ｒ１〜Ｒ８は各々独立して水素原子、又は、アルキル基、アリール基、ヘテロアリール基、シリル基、若しくはハロゲン原子を表すことを特徴とする請求項１又は２に記載の有機電界発光素子。
【請求項４】
前記一般式（Ｉ）で表される化合物が、下記一般式（Ｉａ）で表される化合物であることを特徴とする、請求項１〜３のいずれか一項に記載の有機電界発光素子。
一般式（Ｉａ）
【化２】
2009094486.tif 000002
（一般式（Ｉａ）中、Ｒ１ａ〜Ｒ８ａは各々独立して水素原子、又は、アルキル基、アリール基、ヘテロアリール基、シリル基、若しくはハロゲン原子を表す。ｍａは２〜５の整数を表し、ｎａは１〜４の整数を表し、Ｚは、炭素原子、もしくは、窒素原子を表し、Ｚが無置換の場合は、Ｃ−Ｈ、もしくは、Ｎを表す。）
【請求項５】
上記、一般式（Ｉ）で表される化合物において、Ａがベンゼン環を表し、ｍは２〜５の整数を表し、ｎは１〜４の整数を表し、ｍ＋ｎは３〜６の整数を表すことを特徴とする請求項１〜３のいずれか一項に記載の有機電界発光素子。
【請求項６】
前記一般式（Ｉ）で表される化合物の少なくとも一種を前記発光層に含有することを特徴とする請求項１〜５のいずれか一項に記載の有機電界発光素子。
【請求項７】
前記一般式（Ｉ）で表される化合物の少なくとも一種を前記発光層に隣接する層に含有することを特徴とする請求項１〜６のいずれか一項に記載の有機電界発光素子。
【請求項８】
前記発光層に白金錯体燐光発光材料及びイリジウム錯体燐光発光材料の少なくとも一種を含有することを特徴とする請求項１〜５及び７のいずれか一項に記載の有機電界発光素子。
【請求項９】
前記一般式（Ｉ）で表される化合物の少なくとも一種を前記発光層に含有し、更に、前記発光層に白金錯体燐光発光材料及びイリジウム錯体燐光発光材料の少なくとも一種を含有することを特徴とする請求項１に記載の有機電界発光素子。
【請求項１０】
前記発光層に４座配位子を有する白金錯体燐光発光材料の少なくとも一種を含有することを特徴とする請求項１〜９のいずれか一項に記載の有機電界発光素子。
【請求項１１】
前記発光層に少なくとも一種の発光材料を含有し、前記発光層中の前記少なくとも一種の発光材料は、前記発光層を形成する全化合物質量に対して、０．１質量％〜５０質量％含有されることを特徴とする請求項１〜７のいずれか一項に記載の有機電界発光素子。
【請求項１２】
前記白金錯体燐光発光材料及びイリジウム錯体燐光発光材料の少なくとも一種は、前記発光層中に前記発光層を形成する全化合物質量に対して、０．１質量％〜５０質量％含有されることを特徴とする請求項８〜１０のいずれか一項に記載の有機電界発光素子。
【請求項１３】
下記一般式（Ｉ）で表される有機電界発光素子用化合物。
一般式（Ｉ）
【化３】
2009094486.tif 000003
（一般式（Ｉ）中、Ｒ１〜Ｒ８は各々独立して水素原子、又は、置換基を表し、Ａは他に置換基を有していてもよい芳香環を表す。ｍは２以上の整数を表し、ｎは１以上の整数を表す。）
【請求項１４】
下記一般式（Ｉａ）で表される化合物であることを特徴とする、請求項１３に記載の有機電界発光素子用化合物。
一般式（Ｉａ）
【化４】
2009094486.tif 000004
（一般式（Ｉａ）中、Ｒ１ａ〜Ｒ８ａは各々独立して水素原子、又は、アルキル基、アリール基、ヘテロアリール基、シリル基、若しくはハロゲン原子を表す。ｍａは２〜５の整数を表し、ｎａは１〜４の整数を表し、Ｚは、炭素原子、もしくは、窒素原子を表し、Ｚが無置換の場合は、Ｃ−Ｈ、もしくは、Ｎを表す。）
【手続補正２】
【補正対象書類名】明細書
【補正対象項目名】００１０
【補正方法】変更
【補正の内容】
【００１０】
すなわち、この課題は下記手段によって達成された。
〔１〕
一対の電極間に発光層を含む少なくとも一層の有機層を有する有機電界発光素子であって、前記少なくとも一層の有機層のいずれかに下記一般式（Ｉ）で表される化合物の少なくとも一種を含有することを特徴とする有機電界発光素子。
一般式（Ｉ）
【手続補正３】
【補正対象書類名】明細書
【補正対象項目名】００１２
【補正方法】変更
【補正の内容】
【００１２】
（一般式（Ｉ）中、Ｒ１〜Ｒ８は各々独立して水素原子、又は、置換基を表し、Ａは他に置換基を有していてもよい芳香環を表す。ｍは２以上の整数を表し、ｎは１以上の整数を表す。）
〔２〕
上記、一般式（Ｉ）で表される化合物において、Ｒ１〜Ｒ８が各々独立して水素原子、又は、アルキル基、アリール基、ヘテロアリール基、シリル基、若しくはハロゲン原子を表すことを特徴とする〔１〕に記載の有機電界発光素子。
〔３〕
上記、一般式（Ｉ）で表される化合物において、Ａが芳香環を表し、ｍは２〜５の整数を表し、ｎは１〜４の整数を表し、Ｒ１〜Ｒ８は各々独立して水素原子、又は、アルキル基、アリール基、ヘテロアリール基、シリル基、若しくはハロゲン原子を表すことを特徴とする〔１〕又は〔２〕に記載の有機電界発光素子。
〔４〕
前記一般式（Ｉ）で表される化合物が、下記一般式（Ｉａ）で表される化合物であることを特徴とする、〔１〕〜〔３〕のいずれか一項に記載の有機電界発光素子。
一般式（Ｉａ）
【手続補正４】
【補正対象書類名】明細書
【補正対象項目名】００１４
【補正方法】変更
【補正の内容】
【００１４】
（一般式（Ｉａ）中、Ｒ１ａ〜Ｒ８ａは各々独立して水素原子、又は、アルキル基、アリール基、ヘテロアリール基、シリル基、若しくはハロゲン原子を表す。ｍａは２〜５の整数を表し、ｎａは１〜４の整数を表し、Ｚは、炭素原子、もしくは、窒素原子を表し、Ｚが無置換の場合は、Ｃ−Ｈ、もしくは、Ｎを表す。）
〔５〕
上記、一般式（Ｉ）で表される化合物において、Ａがベンゼン環を表し、ｍは２〜５の整数を表し、ｎは１〜４の整数を表し、ｍ＋ｎは３〜６の整数を表すことを特徴とする〔１〕〜〔３〕のいずれか一項に記載の有機電界発光素子。
〔６〕
前記一般式（Ｉ）で表される化合物の少なくとも一種を前記発光層に含有することを特徴とする〔１〕〜〔５〕のいずれか一項に記載の有機電界発光素子。
〔７〕
前記一般式（Ｉ）で表される化合物の少なくとも一種を前記発光層に隣接する層に含有することを特徴とする〔１〕〜〔６〕のいずれか一項に記載の有機電界発光素子。
〔８〕
前記発光層に白金錯体燐光発光材料及びイリジウム錯体燐光発光材料の少なくとも一種を含有することを特徴とする〔１〕〜〔５〕及び〔７〕のいずれか一項に記載の有機電界発光素子。
〔９〕
前記一般式（Ｉ）で表される化合物の少なくとも一種を前記発光層に含有し、更に、前記発光層に白金錯体燐光発光材料及びイリジウム錯体燐光発光材料の少なくとも一種を含有することを特徴とする〔１〕に記載の有機電界発光素子。
〔１０〕
前記発光層に４座配位子を有する白金錯体燐光発光材料の少なくとも一種を含有することを特徴とする〔１〕〜〔９〕のいずれか一項に記載の有機電界発光素子。
〔１１〕
前記発光層に少なくとも一種の発光材料を含有し、前記発光層中の前記少なくとも一種の発光材料は、前記発光層を形成する全化合物質量に対して、０．１質量％〜５０質量％含有されることを特徴とする〔１〕〜〔７〕のいずれか一項に記載の有機電界発光素子。
〔１２〕
前記白金錯体燐光発光材料及びイリジウム錯体燐光発光材料の少なくとも一種は、前記発光層中に前記発光層を形成する全化合物質量に対して、０．１質量％〜５０質量％含有されることを特徴とする〔８〕〜〔１０〕のいずれか一項に記載の有機電界発光素子。
〔１３〕
下記一般式（Ｉ）で表される有機電界発光素子用化合物。
一般式（Ｉ）
【化１０３】
2009094486.tif 000005
（一般式（Ｉ）中、Ｒ１〜Ｒ８は各々独立して水素原子、又は、置換基を表し、Ａは他に置換基を有していてもよい芳香環を表す。ｍは２以上の整数を表し、ｎは１以上の整数を表す。）
〔１４〕
下記一般式（Ｉａ）で表される化合物であることを特徴とする、〔１３〕に記載の有機電界発光素子用化合物。
一般式（Ｉａ）
【化１０４】
2009094486.tif 000006
（一般式（Ｉａ）中、Ｒ１ａ〜Ｒ８ａは各々独立して水素原子、又は、アルキル基、アリール基、ヘテロアリール基、シリル基、若しくはハロゲン原子を表す。ｍａは２〜５の整数を表し、ｎａは１〜４の整数を表し、Ｚは、炭素原子、もしくは、窒素原子を表し、Ｚが無置換の場合は、Ｃ−Ｈ、もしくは、Ｎを表す。）